(57)【要約】【課題】カード状の磁気ディスク装置等において、外部装置との導通（グランド）を簡易に、かつ、確実に取る構造をもつディスク装置を提供することにある。【解決手段】ディスク装置の駆動部品を搭載した矩形板状のベースと、このベースの裏面側にベースと対向して設けられたプリント回路基板と、このプリント回路基板に接続されるとともにベースから外れて位置したコネクタと、ベースとプリント回路基板を覆った板状の装置筐体とを備え、この装置筐体にコネクタを挟持するコネクタ支持部と、このコネクタ支持部につながって延出して、外部装置と導通をとる導通部を設ける。【選択図】      図１
2004206820.tif 000002
【特許請求の範囲】
【請求項１】
矩形板状のベースと、
前記ベースの裏面側にベースと対向して設けられたプリント回路基板と、
前記プリント回路基板に接続されるとともに前記ベースから外れて位置したコネクタと、
前記ベースと前記プリント回路基板を覆い、前記コネクタを挟持するコネクタ支持部と、前記コネクタ支持部から延出した導通部を有する装置筐体と
を有することを特徴とするディスク装置。
【請求項２】
矩形板状のベースと、
前記ベースに取付けられ上面部開口を閉じた板状のトップカバーと、
前記ベースの裏面側にベースと対向して設けられたプリント回路基板と、
前記プリント回路基板に接続されるとともに前記ベースから外れて位置したコネクタと、
前記プリント回路基板の裏面側に設けられ、前記プリント回路基板およびベースの裏面側を覆った板状のボトムカバーとを備え、
前記トップカバーおよびボトムカバーは、互いに対向したコネクタ支持部をそれぞれ一体に有し、
前記コネクタは、前記プリント回路基板から突出しているとともに、前記コネクタ支持部間に挟持されて位置決め保持され、
前記トップカバーは、前記コネクタ支持部から延出た導通部を有する
ことを特徴とするディスク装置。
【請求項３】
矩形板状のベースと、
前記ベースに取付けられ上面部開口を閉じた板状のトップカバーと、
前記ベースの裏面側にベースと対向して設けられたプリント回路基板と、
前記プリント回路基板に接続されるとともに前記ベースから外れて位置したコネクタと、
前記プリント回路基板の裏面側に設けられ、前記プリント回路基板およびベースの裏面側を覆った板状のボトムカバーとを備え、
前記トップカバーおよびボトムカバーは、互いに対向したコネクタ支持部をそれぞれ一体に有し、
前記コネクタは、前記プリント回路基板から突出しているとともに、前記コネクタ支持部間に挟持されて位置決め保持され、
前記ボトムカバーは、前記コネクタ支持部から延出した導通部を有する
ことを特徴とするディスク装置。
【請求項４】
矩形板状のベースと、
前記ベースに取付けられ上面部開口を閉じた板状のトップカバーと、
前記ベースの裏面側にベースと対向して設けられたプリント回路基板と、
前記プリント回路基板に接続されるとともに前記ベースから外れて位置したコネクタと、
前記プリント回路基板の裏面側に設けられ、前記プリント回路基板およびベースの裏面側を覆った板状のボトムカバーとを備え、
前記トップカバーおよびボトムカバーは、互いに対向したコネクタ支持部をそれぞれ一体に有し、
前記コネクタは、前記プリント回路基板から突出しているとともに、前記コネクタ支持部間に挟持されて位置決め保持され、
前記ボトムカバーは、前記プリント回路基板の側壁を覆う側壁部を有し、前記側壁部は、前記コネクタ支持部から延出した導通部を有する
ことを特徴とするディスク装置。
【請求項５】
前記ボトムカバーは、前記回路基板の側壁を覆う２つの側壁部を有し、前記２つの側壁部は前記コネクタ支持部から延出した複数の導通部を有する
ことを特徴とする請求項４記載のディスク装置。
【発明の詳細な説明】
【０００１】
【発明の属する技術分野】
本発明は、カード状のディスク装置に関し、特に外部装置と電気的な導通を取るための筐体構造を有するディスク装置に関する。
【０００２】
【従来の技術】
一般に、磁気ディスク装置は、上面の開口した矩形箱状のケースと、複数のねじによりケースにねじ止めされているケースの上面開口を閉塞したトップカバーと、を有している。
【０００３】
ケース内には、磁気記録媒体としての磁気ディスク、この磁気ディスクを支持および回転させる駆動手段としてのスピンドルモータ、磁気ディスクに対して情報の書込み、読出しを行う複数の磁気ヘッド、これらの磁気ヘッド磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００４】
また、ケース底壁外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００５】
近年、磁気ディスク装置として、カード状に薄く形成され、例えばパーソナルコンピュータのカードスロットに装填可能としてものが提供されている。このようなカード状の磁気ディスク装置は、従来の磁気ディスク装置に比較して薄型、かつ、小型にする必要があるため、板状のベースに種々の構成要素を実装するとともに、ベースの周縁に沿って合成樹脂からなる支持枠を固定し、更に、この支持枠に板状のトップカバーを取付けている。また、ベース裏面側にプリント回路基板を設け、プリント回路基板上のＩ／Ｆコネクタは、支持枠に設けられた専用の固定部材により位置決めされ保持されている。
【０００６】
一方、ボイスコイルモータは通常、ベース側に設けられ互いに対抗した一対のヨークと、一方のヨークに取付けられた磁石と、ヘッドアクチュエータ側に設けられたボイスコイルと、を有している。カード状の磁気ディスク装置では、薄型化を図るためにヨーク、磁石およびボイスコイルなどの部品自体を薄くするか、ベース側に孔を開けてヨークを取付ける方法が取られている。
【０００７】
カード状の磁気ディスク装置においては、そのコネクタをコンピュータ等のホスト装置に接続し、そのグランド（ＧＮＤ）ピンにより電気的なグランドを取ることが多い。しかし、このグランドピンによるグランド取得では不十分な場合が多く、磁気ディスク装置のグランド対策が求められている。
【０００８】
磁気ディスク装置のグランド対策として、以下に説明する特許文献１の技術が先行技術として開示されている。この特許文献１は、磁気ディスク装置をパーソナルコンピュータ等の情報機器のシステムに搭載して取付けるための取付け方法および取付け構造において、システム筐体からのノイズの回り込みを効果的に阻止し、かつ、磁気ディスク装置からの電磁波の放射量を抑制することを目的として、磁気ディスク装置の筐体に設けられた複数の取付け部のうち、少なくとも１の取付け部を電気的に導通させ、かつ、少なくとも１つの取付け部を電気的に絶縁させてシステム筐体に取付ける構造が記載されている。
【０００９】
しかしながら、上記した先行技術においては、２．５インチ型以上の磁気ディスク装置のように取付け部としてメスネジ部を有しているものを対象としており、１．８インチ型以下の小型磁気ディスク装置、特にカード状の磁気ディスク装置では、このようなネジ部を有していないため、外部情報機器との筐体の接続を持って電気的な導通を取ることができない。
【００１０】
また、カード状の磁気ディスク装置においては、耐振動性、耐衝撃性を考えて、磁気ディスク装置全体を緩衝材で被い、その緩衝材を介して外部情報機器に取付けられる場合もあり、このような構造をとった場合、外部情報機器との接触による電気的な導通が取れなくなる。
【００１１】
【特許文献１】
特開平８−２０３１６１号公報（請求項１、図１）
【００１２】
【発明が解決しようとする課題】
本発明は上記の問題を解決するために成されたものであり、カード状の磁気ディスク装置において外部装置との導通（グランド）を簡易にかつ確実に取る構造を提供することを目的としている。
【００１３】
【課題を解決するための手段】
本発明のディスク装置は、矩形板状のベースと、前記ベースの裏面側にベースと対向して設けられたプリント回路基板と、前記プリント回路基板に接続されるとともに前記ベースから外れて位置したコネクタと、前記ベースと前記プリント回路基板を覆い、前記コネクタを挟持するコネクタ支持部と、前記コネクタ支持部から延出した導通部を有する装置筐体とを有することを特徴とするものである。
【００１４】
このような構成にすることで、外部装置との電気的な導通（グランド）を容易に、かつ、確実に取ることが可能となる。
【００１５】
【発明の実施の形態】
以下、図面を参照しながら発明をハードディスクドライブ（以下ＨＤＤと称する）に適用した実施形態について詳細を説明する。
図１ないし図２に示すように、ＨＤＤはカード状に形成され、例えば、ＰＣカードタイプＩＩ或いはタイプＩＩＩの規格に合わせて厚さ５．０ｍｍ乃至８．０ｍｍに構成されている。すなわち図１ないし図５に示すように、ＨＤＤは矩形板状のベース１０を備え、このベースには、周縁部を除いて、後述する種々の部材が装着される凹部が形成され、上面側が開口している。また、ＨＤＤは、ベース１０の上面側を閉塞した板上のトップカバー１２、ベースの裏面側に設けられたプリント回路基板１４、プリント回路基板およびベースの裏面側を覆ったボトムカバー１５を備え、これらを積層することにより、全体としてカード状に形成されている。
【００１６】
図２に示すように、ベース１０の凹部には、情報記録媒体として機能する１．８インチの磁気ディスク１６、この磁気ディスクを支持および回転させる駆動モータとしてのスピンドルモータ１８、磁気ディスクに対して情報の書込み、読出しを行う複数の磁気ヘッド、これらの磁気ヘッドを磁気ディスク１６に対して移動自在に支持したヘッドアクチュエータ２２、ヘッドアクチュエータを回動および位置決めするボイスコイルモータ（以下ＶＣＭと称する）２４、磁気ヘッドが磁気ディスクの最外周に移動した際、磁気ヘッドを磁気ディスクから離間した位置に保持するランプロード機構２５、ヘッドアクチュエータを退避位置に保持するイナーシャラッチ機構２７、ヘッドＩＣ等を有する基板ユニット２１、およびパック状のエアフィルタ２８が収納されている。
【００１７】
ベース１０は、磁性材料、例えば冷間圧延鋼板などの鉄系材料をプレス成形して成形され、その周縁部は、裏面側に向かって絞り成形されている。ベース１０の底面上には、後述するスピンドルモータ１８の軸受を嵌合するための円筒状の受け部７６が垂直に立設されているとともに、受け部の周囲には、スピンドルモータのコイルを収納するための環状の凹所７７が形成されている。この凹所７７はベース１０の裏面側に突出した第１突出部７８を形成している。また、ベース１０の底面上には、後述するヘッドアクチュエータ２２の軸受組立体を装着するためのほぼ円形の凹所８０が形成され、この凹所はベースの裏面側に突出した第２突出部８１を形成している。
【００１８】
ベース１０の周縁部には、トップカバー１２をねじ止めするための複数のねじ孔８２や後述するシール６０を位置決めするための位置決め孔８３が形成されている。そして、ベース１０はプレス成形した後、受け部７６およびねじ孔８２のみ切削加工を施すことにより形成され、容易にベースを得ることができる。
【００１９】
スピンドルモータ１８は、ベース１０の凹所７７内に装着された複数のコイル８８と、ベースの受け部７６内に嵌合された軸受８５によって回転自在に支持されたスピンドル軸８７と、スピンドル軸と一体形成されたハブ８６と、を備えている。磁気ディスク１６は、ハブ８６の上端部に同軸的に勘合されているとともにクランプばね１７により保持されている。そして、磁気ディスク１６は、スピンドルモータ１８によって所定の速度で回転駆動される。
【００２０】
ヘッドアクチュエータ２２は、ベース１０の凹所８０に固定された軸受組立体２６と、軸受組立体から延出した２本のアーム３２と、各アームの先端から延出した磁気ヘッド組立体３６と、軸受組立体からアーム３２と反対方向に延出しているとともにボイスコイルを支持した支持フレーム４４と、を備えている。各磁気ヘッド組立体３６は、細長い板状のサスペンションと、サスペンションの先端に図示しないジンバル部を介して固定された磁気ヘッド４０と、を備えている。
【００２１】
上記構成のヘッドアクチュエータ２２をベース１０に組み込んだ状態において、磁気ディスク１６は２本のアーム３２間に位置している。そして、一対の磁気ヘッド４０は、磁気ディスク１６の上面および下面にそれぞれ対向し、磁気ディスク１６を両面側から挟持している。各磁気ヘッド４０は、サスペンションのばね力により磁気ディスク表面に向かって所定のヘッド荷重が印加されている。
【００２２】
また、ヘッドアクチュエータ２２を回動させるＶＣＭ２４は、ヘッドアクチュエータの支持フレーム４４に固定されたボイスコイル４５と、このボイスコイルに対向してベース１０上に設けられた上ヨーク４８と、上ヨークの内面に固定されボイスコイルに対向した磁石４９と、を備えている。そして、磁性材料からなるベース１０は、ＶＣＭ２４の下ヨークを兼ねている。
【００２３】
図２に示すように、各磁気ヘッド４０は、フレキシブルケーブル５２を介して、基板ユニット２１に電気的に接続されている。基板ユニット２１は、フレキシブルプリント回路基板により形成され、その底面には、プリント回路基板１４と接続するためのコネクタ５３が実装されている。そして、基板ユニット２１はベース１０にねじ止めされ、コネクタ５３は、ベース１０に形成された矩形状の信号線挿通開口５４と対向している。
【００２４】
ベース１０において、凹部の１つの角部には、ベース内外を連通するための通気孔５８が形成され、エアフィルタ２８は、この通気孔と対向して配置されている。そして、この通気孔５８により、ベース１０内部と外部との圧力差を無くすとともに、その際、エアフィルタ２８により、外部からの塵等の侵入を防止する。
【００２５】
図２に示すように、ベース１０の裏面側に設けられたプリント回路基板１４は、ベース１０よりも僅かに小さな寸法の矩形状に形成されている。プリント回路基板１４の内、ベース１０の第１突出部７８と対向する部分にはこの第１突出部を挿通する円形の開口１４ａが形成され、また、ベースの第２突出部８１と対向する部分は切り欠かれている。
【００２６】
プリント回路基板１４上にはコネクタ５６が実装され、このコネクタ５６は、ベース１０の信号線挿通口５４を通して、ベース内の基板ユニット２１に設けられたコネクタ５３と接続されている。
【００２７】
また、プリント回路基板１４の長手方向一端には、ＨＤＤを外部装置に接続するためのＩ／Ｆコネクタ５７が接続されている。Ｉ／Ｆコネクタ５７は、偏平な矩形状の本体５７ａを有し、この本体はプリント回路基板１４から平行に突出している。本体５７ａから延出した多数のリード線５７ｂがプリント回路基板１４に半田付けされている。そして、プリント回路基板１４をベース１０の裏面側に配置した状態において、Ｉ／Ｆコネクタ５７はベース１０から外れて位置している。
【００２８】
種々の構成要素が装着されたベース１０の上面は、ベースにねじ止めされたトップカバー１２によって閉塞されている。図１ないし図２に示すように、トップカバー１２は、ベース１０よりも長手方向の寸法が大きな矩形状に形成されている。そして、トップカバー１２をベースにねじ止めされた状態において、トップカバーの長手方向の一端部は、ベースから突出したコネクタ支持部１２ａを構成している。このコネクタ支持部１２ａは、後述するように、Ｉ／Ｆコネクタ５７の上面側と対向しているとともに、コネクタ本体５７ａとほぼ等しい寸法に形成されている。また、コネクタ５７を位置決めするための係合爪１２ｂがそれぞれ突設されている。更に、トップカバー１２には、コネクタ支持部１２ａに連なってＩ／Ｆコネクタ５７を越えるように延出して形成された導通部１２ｃが設けられている。この導通部１２ｃはＨＤＤが外部装置のコネクタや回路基板に接続されたときに、Ｉ／Ｆコネクタ５７を越えて外部装置や回路基板の導通部（グランド部）に直接接触し、ＨＤＤ自身の導通を取るように設けられている。
【００２９】
ベース１０とトップカバー１２との間には、ベース１０の内部を気密に保持するためのシール６０が挟持されている。このシール６０は、ベース１０の周縁部に対応した形状に形成された枠状の本体６２と、それぞれ本体から内側に突出した第１、第２、および第３シール部６３、６４、６５と、を一体に備えている。
【００３０】
本体６２は、形状固定材としての薄い金属シートあるいは樹脂シート、例えば、ゴム等からなるシール材で上下から挟み込んで形成されている。第１ないし第３シール部６３、６４、６５はシール材のみで形成されている。なお、シール６０の形状を維持可能であれば、シール全体をシール材のみで形成してもよい。
【００３１】
図２に示すように、シール６０の本体６２の複数箇所には、ベース１０側に突出した複数の位置決め突起６６が一体に形成されている。本体６２は、これらの位置決め突起６６をベース１０の上面周縁部に設けられた複数の位置決め孔８３に嵌合させることにより、ベース１０に対し所定位置に位置決めされた状態でベースの上面周縁部に沿って配置されている。そして、この状態でトップカバー１２をベース１０にねじ止めすることにより、シール６０の本体６２は、ベース１０の上面周縁部とトップカバー１２の下面周縁部との間、つまり、ベースおよびトップカバーの当接面の間に挟持され、これら当接面間を気密にシールしている。
【００３２】
シール６０の第１シール部６３は、基板ユニット２１とほぼ同一の大きさで全体としてほぼ矩形状に形成され、本体６２よりも僅かにベース１０側へずれて設けられている。また、第１シール部６３には、ベース１０の信号線挿通開口５４に対応した形状および大きさを有する矩形状の開口６８と、基板ユニット２１をベース１０にねじ止めするねじを挿通するための開口７１と、が形成されている。
【００３３】
そして、第１シール部６３は、開口６８が信号線挿通開口５４と整列した状態でベース１０の凹所内面上に位置し、基板ユニット２１をベース１０にねじ止めすることにより、ベースと基板ユニットとの間に挟持されている。これにより、第１シール部６３は信号線挿通開口５４の周囲を気密にシールし、外部からベース１０内へのゴミ等の侵入を防止している。
【００３４】
図２に示すように、第２シール部６４は、本体６２の１つの角部に跨って形成され、本体６２よりも僅かにベース１０側へずれて設けられている。また、第２シール部６４には、ベース１０の通気孔５８に対応した大きさを有する透孔７０が形成されている。
【００３５】
そして、第２シール部６４は、透孔７０が通気孔５８と整列した状態でベース１０の凹所内面上に位置し、エアフィルタ２８をベース１０に取付けることにより、ベースとエアフィルタとの間に挟持されている。これにより、第２シール部６４は通気孔５８の周囲を気密にシールし、外部からベース１０内へのゴミ等の侵入を防止している。
【００３６】
また、図２に示すように、第３シール部６５はアーム部を介して本体６０に連結された円筒部を有している。シール６０をベース１０に装着した状態において、この円筒部はベース１０のストッパピン５０の外周に嵌合され、緩衝材として機能する。
【００３７】
一方、ベース１０およびプリント回路基板１４の裏面側を覆ったボトムカバー１５は、図１ないし図２に示すように、ベース１０よりも長手方向の寸法が大きな矩形状に形成されている。そして、ボトムカバー１５によりベース１０およびプリント回路基板１４の裏面側を覆った状態において、ボトムカバーの長手方向一端部は、ベース１０から突出しコネクタ支持部１５ａを構成している。このコネクタ支持部１５ａは、Ｉ／Ｆコネクタ５７の裏面側と対向しているとともに、コネクタの本体５７ａとほぼ等しい寸法に形成されている。また、コネクタ支持部１５ａの先端縁の両端部には、Ｉ／Ｆコネクタ５７を位置決めするための係合爪１５ｂがそれぞれ突出されている。更に、ボトムカバー１５には、コネクタ支持部１５ａに連なってＩ／Ｆコネクタ５７を越えるように延出して形成された導通部１５ｃが設けられている。この導通部１５ｃはＨＤＤが外部装置のコネクタや回路基板に接続されたときに、Ｉ／Ｆコネクタ５７を越えて外部装置や回路基板の導通部（グランド部）に直接接触し、ＨＤＤ自身の導通を取るように設けられている。
【００３８】
ボトムカバー１５の内面側には、プリント回路基板１４に対応したほぼ矩形状の凹所９０が形成され、プリント回路基板の厚さ方向の少なくとも一部を収納可能となっている。また、ボトムカバー１５には、ベース１０の裏面側から突出した第１および第２突出部７８、８１にそれぞれ対応する第１および第２開口９２、９３が形成されている。
【００３９】
更に、ボトムカバー１５の各長辺の内、コネクタ支持部１５ａと導通部１５ｃを除く部分には、プリント回路基板１４の側壁を覆うように側壁９４が一体的に形成されている。各側壁９４は、ボトムカバー１５に対して垂直に延出しているとともに、その延出端部９４ａは、他方の側壁に向かって直角に折り曲げられている。
【００４０】
上記ボトムカバー１５は、プリント回路基板１４の裏面に重ねて配置され、各側壁９４の延出端部９４ａをトップカバー１２の上面側縁部に嵌合させることにより、ベース１０およびトップカバー１２に取付けられる。このように、ボトムカバー１５の両側壁部を断面がほぼＵ字状に形成し、これらの側壁部によってベース１０およびトップカバー１２を同時に挟み込んで勘合することにより、装置全体の強度を高めるとともに、ねじや専用の支持部材を用いることなくボトムカバーを固定することができる。同時に、ボトムカバー１５の側壁９４によってＨＤＤの側面全体を覆うことにより、外部からの磁気ノイズや電界による影響を低減することができる。
【００４１】
トップカバー１２のコネクタ支持部１２ａおよびボトムカバーのコネクタ支持部１５ａは、予め所定角度、例えば、３度だけベース１０側に折り曲げ加工されている。そして、ベース１０にトップカバー１２およびボトムカバー１５を取付けることにより、プリント回路基板１４に接続されたＩ／Ｆコネクタ５７は、トップカバーおよびボトムカバーのコネクタ支持部１２ａ、１５ａによって上下から挟持されている。
【００４２】
ここで、Ｉ／Ｆコネクタ５７は、プリント回路基板１４に対し多数のリード線５７ｂのみにより接続され、これらのリード線の変形により、ベース１０の厚さ方向に対し多少の位置自由度を有している。同時に、一対のコネクタ支持部１２ａ、１５ａによってＩ／Ｆコネクタ５７を上下から挟持することにより、これらのコネクタ支持部１２ａ、１５ａは互いに開く方向に弾性変形し、その弾性によりＩ／Ｆコネクタ５７を保持するとともに、Ｉ／Ｆコネクタをベース１０の厚さ方向に沿った所定位置に位置決めしている。更に、コネクタ支持部１２ａ、１５ａの係合爪１２ｂ、１５ｂがそれぞれＩ／Ｆコネクタ５７の本体５７ａに設けられた係合凹所に係合し、Ｉ／Ｆコネクタをベース１０の面方向に沿った所定位置に位置決めしている。
【００４３】
ベース１０およびトップカバー１２にボトムカバー１５を取付けた状態において、プリント回路基板１４は、ボトムカバー
凹所９０内にほぼ収容されている。また、ベース１０の裏面から突出した第１突出部７８は、プリント回路基板１４の開口１４ａを通り、その突出端部はボトムカバー１５の第１開口９２内に嵌合している。その際、ボトムカバー１５の内、第１開口９２の周縁部は、第１突出部７８の中腹部に設けられた受け座７８ａに当接し、受け部９２ａを構成している。
【００４４】
ベース１０の裏面から突出した第２突出部８１は、プリント回路基板１４の切り欠き部を通り、その突出端部はボトムカバー１５の第２開口９３内に嵌合している。その際、ボトムカバー１５の内、第２開口９３の周縁部は、第２突出部８１の中腹部に設けられた受け座８１ａに当接し、受け部９３ａを構成している。
【００４５】
このように、ベース１０の第１および第２突出部７８、８１の突出端部は、ボトムカバー１５の第１および第２開口部９２、９３に嵌合することにより、ボトムカバーとほぼ同一平面上に位置している。これにより、ボトムカバー１５を取付けた状態においても、ベース１０およびボトムカバー全体の厚さを、ベース１０の厚みと同じにすることができる。言いかえると、第１および第２突出部７８、８１を含むベース１０の厚さを、ＨＤＤの規定厚さのほぼ限界まで大きくすることができる。
【００４６】
また、ボトムカバー１５の受け部９２ａ、９３ａをベース１０側の受け座７８ａ、８１ａにそれぞれ当接させることにより、ボトムカバー１５のベース側への変形を防止することができる。
【００４７】
図５は本実施形態の変形例で、ボトムカバー１５の側壁９４のＩ／Ｆコネクタ側端部を、Ｉ／Ｆコネクタ５７を越えるように延出して形成された導通部９４ａが設けられている。この導通部９４ａも、上述の実施形態で説明したトップカバー１２に設けた導通部１２ｃ、あるいは、ボトムカバー１５に設けた導通部１５ｃと同様に、ＨＤＤが外部装置のコネクタや回路基板に接続されたときに、Ｉ／Ｆコネクタ５７を越えて外部装置や回路基板の導通部（グランド部）に直接接触し、ＨＤＤ自身の導通を取るように設けられている。
【００４８】
このボトムカバー１５の側壁９４に設けられた導通部９４ａは、一方の側壁にのみ設けることも、両方の側壁に設けることも可能である。
【００４９】
【発明の効果】
以上詳述したように本発明によれば、カード状の磁気ディスク装置において外部装置との導通（グランド）を特別な部品等を必要とせずに、簡易にかつ確実に取ることができるディスク装置を提供することが可能となる。
【図面の簡単な説明】
【図１】本発明の実施形態に係るＨＤＤの上面側を示す斜視図。
【図２】本発明の実施形態に係るＨＤＤの分解斜視図。
【図３】本発明の実施形態に係るＨＤＤのトップカバーの導通部を示す斜視図。
【図４】本発明の実施形態に係るＨＤＤのボトムカバーの導通部を示す斜視図。
【図５】本発明の実施形態に係るＨＤＤの変形例を示す斜視図。
【符号の説明】
１０……ベース
１２……トップカバー
１４……プリント回路基板
１５……ボトムカバー
１２ａ、１５ａ…コネクタ支持部
１２ｃ、１５ｃ…導通部
１６……磁気ディスク
１８……スピンドルモータ
２１……基板ユニット
２２……ヘッドアクチュエータ
２４……ＶＣＭ
２５……ランプロード機構
２６……イナーシャラッチ機構
５７……Ｉ／Ｆコネクタ
６０……シール
７６……受け部
７８……第１突出部
８１……第２突出部
７８ａ、８１ａ…受け座
８５……軸受
９２……第１開口
９３……第２開口
９２ａ、９３ａ…受け部
９４……側壁
９４ａ…延出端部
９４ｃ…導通部
【図１】
2004206820.tif 000003
【図２】
2004206820.tif 000004
【図３】
2004206820.tif 000005
【図４】
2004206820.tif 000006
【図５】
2004206820.tif 000007